(57)【要約】      （修正有）【課題】道路の側溝等の溝内に仮設する仮設床面の仮設作業を容易かつ迅速に効率よく行える溝内床面仮設装置を提供する。【解決手段】溝内床面仮設装置は、溝の上部開放側の幅方向を塞ぐよう当該溝内に嵌め込まれる平板状の床面部と、前記床面部の左右両縁の各々の縁の少なくとも一部から溝の両側壁に沿って下方に延在する側面部とを備えた（断面略伏せコ字状の）床面部材と、前記左右の両側面部の各々に設けられた圧接用ナット部に、前記溝の側壁に対して垂直に当接するようねじ込まれる圧接用ボルトとを有することを特徴とする。又、床面部材を溝底から所望の高さ位置に支える複数の支柱部材を装着脱自在に備えたことを特徴とする。【選択図】図５
0003148136.tif 000002
【実用新案登録請求の範囲】
【請求項１】
溝の上部開放側の幅方向を塞ぐよう当該溝内に嵌め込まれる平板状の床面部と
前記床面部の左右両縁の各々の縁の少なくとも一部から溝の両側壁に沿って下方に延在する側面部とを備えた（断面略伏せコ字状の）床面部材と、
前記左右の両側面部の各々に設けられた圧接用ナット部に、前記溝の側壁に対して垂直に当接するようねじ込まれる圧接用ボルトと、
を有することを特徴とする溝内床面仮設装置。
【請求項２】
各圧接用ボルトの先端は、当接する側壁と面接触する当接面部を備えたことを特徴とする請求項１に記載の溝内床面仮設装置。
【請求項３】
当接面部は、側壁と面接触する面が前記側壁の面との摩擦抵抗を高める凹凸面であることを特徴とする請求項２に記載の溝内床面仮設装置。
【請求項４】
当接面部は圧接用ボルトの先端にユニバーサルジョイントされたことを特徴とする請求項２又は請求項３に記載の溝内床面仮設装置。
【請求項５】
両側面部間に設けられる雌ネジ穴は、雌ネジ穴の中心軸が一致した対を成すよう相対に設けられたことを特徴とする請求項１乃至請求項４の何れかに記載の溝内床面仮設装置。
【請求項６】
対を成す雌ネジ穴は複数対設けられたことを特徴とする請求項５に記載の溝内床面仮設装置。
【請求項７】
床面部には圧接用ボルトを回すねじ回し工具が操作可能に貫通する圧接用ボルト挿通穴が各圧接用ボルト毎に設けられたことを特徴とする請求項１乃至請求項６の何れかに記載の溝内床面仮設装置。
【請求項８】
床面部材を溝底から所望の高さ位置に支える複数の支柱部材を装着脱自在に備えたことを特徴とする請求項１乃至請求項７の何れかに記載の溝内床面仮設装置。
【請求項９】
支柱部材は高さ調節自在に構成されたことを特徴とする請求項８に記載の溝内床面仮設装置。
【請求項１０】
支柱部材は床面部材側に設けられた支柱用ナット部と、当該支柱用ナット部にねじ込まれた支柱用ボルトとで構成されたことを特徴とする請求項８又は請求項９に記載の溝内床面仮設装置。
【請求項１１】
支柱用ナット部は床面部から下方に延在する側面部の内面側に設けられたことを特徴とする請求項１０に記載の溝内床面仮設装置。
【請求項１２】
支柱用ボルトは床面部に穿たれた支柱用ボルト挿通穴を介して床面上から支柱用ナット部にねじ込まれたことを特徴とする請求項１０又は請求項１１に記載の溝内床面仮設装置。
【請求項１３】
床面部は、当該床面部が幅方向に二分割された一対の片側床面部で構成されることを特徴とする請求項１乃至請求項１２の何れかに記載の溝内床面仮設装置。
【請求項１４】
床面は、一対の片側床面部が複数の連結部材を介して二分割間隔を調整自在に連結されたことを特徴とする請求項１３の溝内床面仮設装置。
【請求項１５】
連結部材は、一対の片側床面部の両裏面側に亘って宛がわれる当接部材と、二分割間隔の拡大縮小方向に向けて延在するよう前記当接部材に設けられたスリットと、前記スリットを貫通するよう前記一対の片側床面部の各々裏面側に植設されたネジ棒部と、前記ネジ棒部に螺合されて当接部材を片側床面部の裏面側に圧接固定する締め付けナット部とを有することを特徴とする請求項１３又は請求項１４の溝内床面仮設装置。
【請求項１６】
当接部材に設けられるスリットは、一対の片側床面部の各裏面側毎に各々独立して設けられたことを特徴とする請求項１５の溝内床面仮設装置。
【請求項１７】
一対の片側床面部の各裏面側に植設されるネジ棒部は複数並設されたことを特徴とする請求項１５又は請求項１６に記載の溝内床面仮設装置。
【考案の詳細な説明】
【技術分野】
【０００１】
本考案は、道路の側溝等、溝の内部に、溝の底面から所望の高さ位置に仮の床面を設置する溝内床面仮設装置に関する。
【背景技術】
【０００２】
既設の溝（以下、既設溝ともいう）、例えば、道路の側溝等においては、路肩に当たる溝の側壁上縁部（以下、上縁部ともいう）側は損傷を受け易く、これが破損すると、溝の蓋板（コンクリート板や金属製板或いは金属製網板等）の収まりが悪くなって、蓋板が一層ガタついて損傷が急速に拡大したり、騒音を発したりするため、破損具合に応じて、溝の一方又は両側壁の上縁部側を除去したり、除去した当該部分の側壁を新たに構築するという改修工ことが適宜行われる。
【０００３】
又、近時においては、側溝を挟んで路面と続く地面との段差を無くす所謂バリヤーフリーの観点から、既設溝の上縁部を切断して除去し、溝の側壁の高さを低くしたり、低くしてから改めて側溝の蓋板を被せるという改修工ことが急増している。
【０００４】
他方、このような従来の工法では、比較的幅が狭くて作業空間が小さい溝の中での、作業となる上、溝の流水を止めたり、流水の迂回路を設ける等の付帯工ことが必要となり、多大な作業日時と手間とを要し、工ことの作業効率の向上を望むことができなかった。
【０００５】
本考案は、上記課題を解消し、流水を止めたり迂回路を設ける等の付帯工ことを無用とするため、溝内に仮設する仮設床面の仮設作業を容易且つ迅速に効率よく行える溝内床面仮設装置の提供を目的とする。
【考案の開示】
【課題を解決するための手段】
【０００６】
請求項１の溝内床面仮設装置の考案は、溝の上部開放側の幅方向を塞ぐよう当該溝内に嵌め込まれる平板状の床面部と前記床面部の左右両縁の各々の縁の少なくとも一部から溝の両側壁に沿って下方に延在する側面部とを備えた（断面略伏せコ字状の）床面部材と、前記左右の両側面部の各々に設けられた圧接用ナット部に、前記溝の側壁に対して垂直に当接するようねじ込まれる圧接用ボルトとを有することを特徴とする。
【０００７】
請求項２の考案は、請求項１に記載の溝内床面仮設装置において、各圧接用ボルトの先端は、当接する側壁と面接触する当接面部を備えたことを特徴とする。
【０００８】
請求項３の考案は、請求項２に記載の溝内床面仮設装置において、当接面部は、側壁と面接触する面が前記側壁の面との摩擦抵抗を高める凹凸面であることを特徴とする。
【０００９】
請求項４の考案は、請求項２又は請求項３に記載の溝内床面仮設装置において、当接面部は圧接用ボルトの先端にユニバーサルジョイントされたことを特徴とする。
【００１０】
請求項５の考案は、請求項１乃至請求項４の何れかに記載の溝内床面仮設装置において、両側面部間に設けられる雌ネジ穴は、雌ネジ穴の中心軸が一致した対を成すよう相対に設けられたことを特徴とする。
【００１１】
請求項６の考案は、請求項５に記載の溝内床面仮設装置において、対を成す雌ネジ穴は複数対設けられたことを特徴とする。
【００１２】
請求項７の考案は、請求項１乃至請求項６の何れかに記載の溝内床面仮設装置において、床面部には圧接用ボルトを回すねじ回し工具が操作可能に貫通する圧接用ボルト挿通穴が各圧接用ボルト毎に設けられたことを特徴とする。
【００１３】
請求項８の考案は、請求項１乃至請求項７の何れかに記載の溝内床面仮設装置において、床面部材を溝底から所望の高さ位置に支える複数の支柱部材を装着脱自在に備えたことを特徴とする。
【００１４】
請求項９の考案は、請求項８に記載の溝内床面仮設装置において、支柱部材は高さ調節自在に構成されたことを特徴とする。
【００１５】
請求項１０の考案は、請求項８又は請求項９に記載の溝内床面仮設装置において、支柱部材は床面部材側に設けられた支柱用ナット部と、当該支柱用ナット部にねじ込まれた支柱用ボルトとで構成されたことを特徴とする。
【００１６】
請求項１１の考案は、請求項１０に記載の溝内床面仮設装置において、支柱用ナット部は床面部から下方に延在する側面部の内面側に設けられたことを特徴とする。
【００１７】
請求項１２の考案は、請求項１０又は請求項１１に記載の溝内床面仮設装置において、支柱用ボルトは床面部に穿たれた支柱用ボルト挿通穴を介して床面上から支柱用ナット部にねじ込まれたことを特徴とする。
【００１８】
請求項１３の考案は、請求項１乃至請求項１２の何れかに記載の溝内床面仮設装置において、床面部は当該床面部が幅方向に二分割された一対の片側床面部で構成されることを特徴とする。
【００１９】
請求項１４の考案は、請求項１３の溝内床面仮設装置において、床面は一対の片側床面部が複数の連結部材を介して二分割間隔を調整自在に連結されたことを特徴とする。
【００２０】
請求項１５の考案は、請求項１３又は請求項１４の溝内床面仮設装置において、連結部材は、一対の片側床面部の両裏面側に亘って宛がわれる当接部材と、二分割間隔の拡大縮小方向に向けて延在するよう前記当接部材に設けられたスリットと、前記スリットを貫通するよう前記一対の片側床面部の各々裏面側に植設されたネジ棒部と、前記ネジ棒部に螺合されて当接部材を片側床面部の裏面側に圧接固定する締め付けナット部とを有することを特徴とする。
【００２１】
請求項１６の考案は、請求項１５の溝内床面仮設装置において、当接部材に設けられるスリットは一対の片側床面部の各裏面側毎に各々独立して設けられたことを特徴とする。
【００２２】
請求項１７の考案は、請求項１５又は請求項１６に記載の溝内床面仮設装置において、一対の片側床面部の各裏面側に植設されるネジ棒部は複数並設されたことを特徴とする。
【考案の効果】
【００２３】
請求項１乃至請求項１７の各考案によれば、何れも、溝内に、溝底から任意の高さ位置で、仮設床面を容易且つ迅速に効率よく仮設することができ、溝の流水を止めたり迂回路を設ける等の付帯工ことが無用となる。
【００２４】
又、請求項１乃至請求項１７の各考案によれば、何れも、溝底が平でなく、凹凸があっても、圧接用ボルトと圧接用ナット部とを用いることで、或いは、支柱用ボルトの高さを調整することによって、溝底の構造や環境に影響されること無く、溝内に容易に仮設床面を仮設することができる。
【００２５】
請求項２、至請求項３の各考案によれば、何れも、対の当接面部により、両側壁との摩擦抵抗を高めることができ、より一層、圧接用ボルトによる圧接力（突っ張り力）を確保することができ、仮設床面の脱落阻止効果を高めることができる。
【００２６】
請求項４の考案によれば、側壁の傾斜に応じて当接面部が圧接されるので、側壁が垂直面か傾斜面かに拘らず、溝の側壁の状況に応じて、更に一層、傾斜摩擦抵抗を高めることができる。
【００２７】
請求項５の考案によれば、軸が一致する一対の圧接用ボルトによる圧接力（突っ張り力）を効果的に発揮させることができ、仮設床面の脱落阻止効果を高めることができる。
【００２８】
請求項７や請求項１２の各考案によれば、何れも挿通穴を介して、床面上から工具を挿入できるので、圧接用或いは支柱用のボルト締め或いは緩め作業を容易に行うことができる。
【００２９】
請求項８や請求項１７の各考案によれば、何れも、溝の側壁や溝底の状況に応じて、
圧接用ボルトや支柱用ボルトの双方或いは何れか一方を用いることで、溝底の構造や環境に影響されること無く、溝内に容易に仮設床面を仮設することができる。
又、圧接用ボルト及び支柱用ボルトの双方を用いることによって、仮設床面の脱落防止効果をより一層高めることができる。
【００３０】
請求項９の考案によれば、各支柱ボルトが位置する溝底の凹凸に応じて適宜高さを調整できるので、溝底の凹凸にかかわらず仮設床面の高さや水平維持調整を容易且つ迅速に行うことができる。
【００３１】
請求項１０の考案によれば、支柱部材を比較的容易且つ安価に構成することができる。
請求項７の考案によれば、
【００３２】
請求項１３乃至請求項１７の各考案によれば、何れも、溝幅の寸法が多少異なる溝に対しても、床部を適宜拡幅できるので、二分轄間隙を塞ぐ適当な床材を床面部に載せることで、溝幅が多少異なる程度の溝に対して比較的自在に対応させることができる。
【００３３】
請求項１５乃至請求項１７に記載の各考案によれば、何れも、溝の幅に応じて拡開された二分割間隔を容易且つ確実に維持させることができ、安定的な仮設床面を設定することができる。
【考案を実施するための最良の形態】
【００３４】
本考案の最良の実施の形態を示す道路側溝用の溝内床面仮設装置を実施例１及び実施例２に示す図面に基づいて説明する。
【実施例１】
【００３５】
実施例１の溝内床面仮設装置は、溝内に仮設される床面部材を溝底から所望の高さ位置に支えるに、溝の両側壁に対して水平方向に突っ張らせる複数の水平維持掛止手段１４を装着脱自在に備えた装置である。
図１は実施例１の溝内床面仮設装置の仮設状態を示す斜視図、図２は図１の断面図、図３は実施例１の溝内床面仮設装置の水平維持掛止手段の拡大断面図、図４は実施例１の溝内床面仮設装置の水平維持掛止手段の操作説明図である。
【００３６】
図１及び図２において、図示の溝内床面仮設装置１０は、溝１の上部開放側２の幅方向を塞ぐように溝内に嵌め込まれる平板状の床面部１１と、この床面部１１の左右両縁から当該溝１の両側壁即ち左右の側壁３、３に沿って下方に延在する側面部１２、１２とを備えた床面部材１３と、この床面部材１３を溝底４から適当な高さ位置で、溝１の左右の側壁３、３に掛止させて、床面部１１即ち仮設床面を水平に維持させる水平維持掛止手段１４とを供えた装置である。
【００３７】
実施例１の側面部１２、１２は床面部１１の左右両縁の各縁の全長に渡って下方に折り曲げた状態で延在させているが、この例に限らず、水平維持掛止手段１４、少なくともその圧接用ナット部１５を設けるに必要な部分のみ、例えば、左右両縁の各々の縁の少なくとも一部を下方に延在して形成してもよい（図示せず）。
【００３８】
実施例１の水平維持掛止手段１４は、左右の両側面部１２、１２の各々に回動不動に固定的に設けられた圧接用ナット部１５と、この各々の圧接用ナット部１５に溝１の中央空間側から各々ねじ込まれて、ねじ込まれたボルト先端が溝１の側壁３、３に対して垂直に当接する圧接用ボルト１６とで構成されている。
【００３９】
尚、圧接用ナット部１５は、必ずしもナットを用いる必要は無く、例えば、側面部１２を水平方向に貫く雌ねじを穿って構成してもよい。本明細書における圧接用ナット部１５の用語はこのような雌ネジ構成を含む意味である。
【００４０】
この実施例１の各圧接用ボルト１６の先端には、当該先端が当接する側壁３、３と面接触するように平板状に形成された当接面部１７が設けられており、この平板状の当接面部１７は、半球状に形成されたボルト先端に対して、当該半球面上の任意の角度に回動自在となるよう半球回転自在にユニバーサルジョイントされている。
【００４１】
又、この当接面部１７の側壁３と面接触する側の面は、当該側壁３の面との摩擦抵抗を高め得るように凹凸面とし（図示せず）、これにより、側壁３との摩擦抵抗を高めることができ、より一層、圧接用ボルト１６のねじ込みによる側壁３に対する圧接力を確保することができ、仮設床面の脱落阻止効果を高めることができる。
【００４２】
圧接用ボルト１６の圧接力を更に高めるためには、両側面部１２、１２間に設けられる圧接用ナット部１５としての雌ネジ穴は、当該雌ネジ穴の中心軸が一致した対を成すよう相対に設けるとよい。この一対の雌ネジ穴（１５、１５）に背抗してねじ込まれる一対の圧接用ボルト１６、１６によって効率よく高い突っ張り力が得られるからである。
従って、このような対を成す圧接ナット部１５としての雌ネジ穴は多数（複数対）設けるほど効果的である。
【００４３】
床面部１１には、圧接ナット部１５としての雌ネジ穴にねじ込まれる圧接用ボルト１６のボルト頭を回すねじ回し工具１８（図２）が操作可能に貫通する圧接用ボルト挿通穴１９が各圧接用ボルト１６毎に対応して設けられている。
これにより、この挿通穴１９を介して、床面１１上から工具１８を挿入できるので、圧接用ボルト１６の操作、即ち、ボルト締め或いは緩め作業を容易に行うことができる。
【実施例２】
【００４４】
実施例２の溝内床面仮設装置２０は、溝内に仮設される床面部材１３を溝底４から所望の高さ位置に支える立脚手段としての、溝底４に立脚させる複数の支柱部材２１を、前記床面部材１３に装着脱自在に備えた装置である。
図５は溝内床面仮設装置の仮設状態を示す斜視図、図６は図１の断面図、図７は要部分解図である。
【００４５】
図５及び図６において、図示の溝内床面仮設装置２０は、上記実施例１の溝内床面仮設装置１０の床面部材１３を溝底から所望の高さ位置に支えるに当り、溝１の両側壁３、３に対して水平方向に突っ張らせる複数の水平維持掛止手段１４に加えて、更に、当該床面部材１３に溝底４に立脚させる複数の立脚手段としての複数の支柱部材２１を装着脱自在に設けてある。
【００４６】
従って、この実施例２においては、上記実施例１と同一若しくは実質的に同じ部材には、例えば実施例１の床面部材１３と実施例２に示す分割されて２部材が連結されて構成される床面部材１３や実施例１のボルト頭を頭上から回す工具１８と実施例２のボルト頭を頭の側面から回す工具１８のように、同一の符号を付し、その説明を省略する。
【００４７】
図５及び図６において、図示の支柱部材２１は、床面部材１３の床面部１１から下方に延在する側面部１２の内面側に固定された複数の支柱用ナット部２２と、これらの各支柱用ナット部２２にねじ込まれる支柱用ボルト部２３とで構成されており、この支柱用ボルト部２３が溝底４に立脚して支柱用ナット部２２を介して、床面部材１３の高さ即ち床面部１１の高さが調節自在に支持され、且つネジ込み量の調整により床面部材１３即ち床面部１１の水平維持が図られる。
【００４８】
支柱用ボルト部２３は、床面部１１に穿たれた各支柱用ボルト挿通穴２４を介して支柱用ナット部２２に鉛直方向からねじ込まれており、この支柱用ボルト挿通穴２４は、支柱用ナット部２２にねじ込まれた支柱用ボルト部２３のボルト頭を回すねじ回し工具１８（図２）が操作可能に貫通するサイズ（径）とされている。
【００４９】
従って、この実施例２の溝内床面仮設装置２０は、上記実施例１と同様に、溝１内に落とし込むようにして床面部材１３を溝１に嵌め込むように落とし込み、溝１の上部開放側２から鉛直方向に、適宜なボルト回し具１８を床面部１１の支柱用ボルト挿通穴２４に差し込んで、床面部１１の下に在る支柱用ボルト部２３を自在に操作することによって、床面部材１３即ち床面部１１を溝底４から所望の高さ位置に支える高さ維持や水平維持の調整作業を容易且つ迅速に行うことができる。
【００５０】
又、上記実施例１の水平維持手段１４と同様に、ボルトとナットとで立脚手段としての支持部材２１を構成とすることにより、当該支柱部材２１を単純且つ容易にして、床面部材１３に対して装着脱自在に構成することができる。
又、各支柱部材２１の脚の長さを適宜調節することによって溝底４の凹凸の有無に拘らず仮設床面としての床面部１１の水平維持作業、即ち床面仮設作業を容易且つ迅速に行うことできる。
又、当然のことながら、溝１の流水を遮断したり迂回させたりすることなく、流水をそのままで、流水の深さに応じて床面部材（仮設床面）１３の高さを従来に較べて容易且つ自在に設定することができる。
【００５１】
更に又、この実施例２の溝内仮設床面装置２０によれば、溝１の側壁３や溝底４の状況に応じて、水平維持掛止手段１４の圧接用ボルト１６や立脚手段としての支柱用ボルト２１の双方或いは何れか一方を用いることで、溝底４の構造や環境に影響されること無く、溝内に容易に仮設床面を仮設することができる。
又、水平維持掛止手段１４としての圧接用ボルト１６及び立脚手段としての支柱用ボルト２１の双方を用いることによって、仮設床面をより強固に仮設することができ、脱落防止効果をより一層高めることができる。
【００５２】
尚、水平維持掛止手段１４の圧接用ボルト１６や立脚手段としての支柱用ボルト２１の双方或いは何れか一方を用いる場合には他方を相応するナット部（圧接用ナット部１５又は支柱用ナット部２２）から外して用いればよく、水平維持掛止手段及び立脚手段の両方の手段を併せ持ちながらも、必要に応じて何れの手段の装着脱も容易に行うことができる。
【００５３】
図７において、実施例２の床面部材１３の床面部１１（Ｆ）は、その床面部１１の幅方向に二分割されて一対の片側床面部１１Ａ、１１Ｂで構成されており、この一対の片側床面部１１Ａ、１１Ｂが一体化手段としての連結部材２５を介して、二分割された二分割間隔Ｌ（幅）を溝１の幅に応じて、適宜、拡大させたり縮小させたりできるよう調整自在、即ち拡大縮小調整自在に連結されている。
【００５４】
図示の連結部材２５は、一対の片側床面部１１Ａ、１１Ｂの両裏面側に亘って、分轄間隔Ｌ即ち縦割りライン（Ｌ）と交差するように宛がわれた当接部材２６と、この当接部材２６に設けられたスリット２７（２７Ａ、２７Ｂ）と、このスリット２７を貫通して前記一対の片側床面部１１Ａ、１１Ｂの各々の裏面側に植設された複数のネジ棒部２８（２８Ａ、２８Ａ、２８Ｂ、２８Ｂ）と、これらのネジ棒部２８（２８Ａ、２８Ａ、２８Ｂ、２８Ｂ）に螺合されて当接部材２６を片側床面部１１Ａ、１１Ｂの裏面側に圧接固定させる締め付け連結用ナット部２９（２９Ａ、２９Ａ、２９Ｂ、２９Ｂ）とを有している。
【００５５】
尚、分轄間隔Ｌ即ち縦割りライン（Ｌ）と交差するように宛がわれる上記の連結部材２５は、縦割りライン（Ｌ）の延在方向に適宜間隔をおいて配設すればよい（図示せず）。
【００５６】
更に、図示の当接部材２６に設けられるスリット２７は、一対の片側床面部１１Ａ、１１Ｂの各裏面側毎に植設されたネジ棒部２８Ａ、２８Ｂに各々対応するよう独立して、図中の符号２７Ａ、２７Ｂで示すように２つのスリットとして形成されている。
この場合、両スリット２７Ａ、２２Ｂの長さを所定長さに形成することによって、分轄間隔Ｌの幅、即ち拡大縮小可能な分轄幅を予め規制しておくことができる。
【００５７】
各片側床面部１１Ａ、１１Ｂの裏面側に植設されるネジ棒部２８Ａ、２８Ｂは前記の縦割りライン（Ｌ）と交差する方向に複数本、例えば図示のように少なくとも２本並設させて、スリット２７（２７Ａ、２７Ｂ）の幅をネジ棒部２８Ａ、２８Ｂの径にほぼ等しく形成しておくことにより、分轄された一対の片側床面部１１Ａ、１１Ｂの相対位置を適正に、例えば溝１の延在方向において一対の片側床面部１１Ａ、１１Ｂにズレを生じさせないように規制することができる。
【００５８】
実施例２の溝内床面仮設装置２０によれば、溝１の床面部１１の幅(図７において、幅＝１１Ａ+Ｌ+１１Ｂ)に応じて適宜な分轄幅（Ｌ＝拡大縮小自在）を調整できるので、溝１の幅に適応した仮説床面を仮設することができる。
又、溝１の幅に応じて一義的（分轄幅調整不能）に構成される上記実施例１の溝内床面仮設装置１０の床面部材１３に較べて、実施例２の図７に示す溝内床面仮設装置では、溝幅に応じて予め用意（製造）しておく溝内床面仮設装置の種類が少なくて済み、経済的となる。
【００５９】
尚、上記実施例１及び２において、溝内床面仮設装置１０、２０の長さは取り扱い可能な適宜の長さであればよく、図示の長さは単に作図上の都合での長さである。
又、床面部材の材質は金属製や樹脂製やその他の材質の何れでもよく、限定されない。
【産業上の利用可能性】
【００６０】
本考案は、道路の側溝限らず、その他の溝についても広くて利用することができる。
【図面の簡単な説明】
【００６１】
【図１】溝内床面仮設装置の仮設状態を示す斜視図である（実施例１）。
【図２】図１の横断面図である（実施例１）。
【図３】溝内床面仮設装置の水平維持掛止手段の拡大断面図である（実施例１）。
【図４】溝内床面仮設装置の水平維持掛止手段の操作説明図である（実施例１）。
【図５】溝内床面仮設装置の仮設状態を示す斜視図である（実施例２）。
【図６】図５の断面図である（実施例２）。
【図７】要部分解説明図である（実施例２）。
【符号の説明】
【００６２】
１  溝
２  上部開放側
３  側壁（溝の側面）
４  溝底（溝の底面）
１０  溝内床面仮設装置（実施例１）
１１  床面部（仮設床面）
１１Ａ  片側床面部(床面部材)
１１Ｂ  片側床面部(床面部材)
１２  側面部(床面部材)
１３  床面部材
１４  水平維持掛止手段
１５  圧接用ナット部（水平維持掛止手段）
１６  圧接用ボルト部（水平維持掛止手段）
１７  当接面部
１９  圧接用ボルト挿通穴
２１  支持部材（立脚手段）
２２  支柱用ナット部（立脚手段）
２３  支柱用ボルト部（立脚手段）
２４  支柱用ボルト挿通孔
２０  溝内床面仮設装置（実施例２）
２１  支持部材（立脚手段）
２２  支柱用ナット部（立脚手段）
２３  支柱用ボルト部（立脚手段）
２５  連結部材
２６  当接部材
２７  スリット
２７Ａ、２２Ｂ  スリット
２４  支柱用ボルト挿通孔
２８  ネジ棒部
２８Ａ、２８Ｂ  ネジ棒部
【図１】
0003148136.tif 000003
【図２】
0003148136.tif 000004
【図３】
0003148136.tif 000005
【図４】
0003148136.tif 000006
【図５】
0003148136.tif 000007
【図６】
0003148136.tif 000008
【図７】
0003148136.tif 000009